(57)【要約】【課題】ＩＥＥＥ１３９４シリアルバスに接続されるセットトップボックス（ＳＴＢ）等のコントローラ機器において、同一の番組タイトルを持つ複数の番組ファイルを連続してダビングする際における操作性の向上を図る。【解決手段】ユーザが、第１話の番組ファイルを選択すると（Ｓ１でＹＥＳ）、ＳＴＢが、選択された第１話の番組ファイルについて、ダビング元のハードディスクレコーダからダビング先のハードディスクレコーダへのダビングを開始した後に（Ｓ２）、第１話の番組ファイルと同一の番組タイトルを持つ番組ファイルのリストを作成する（Ｓ６）。次に、ＳＴＢは、上記リスト中の番組ファイルを録画開始日時の古い順に並び替えた後（Ｓ７）、この並び替え後の番組ファイルのリストに格納された番組ファイルについて、第２話の番組ファイルから順番に、連続してダビングする（Ｓ１０）。【選択図】図３
2006173950.tif 000002
【特許請求の範囲】
【請求項１】
ＩＥＥＥ１３９４用の制御コマンドによって録画や再生を行うことが可能なハードディスクレコーダとＩＥＥＥ１３９４シリアルバスを介して接続され、
前記ＩＥＥＥ１３９４シリアルバスを介して接続されているハードディスクレコーダの台数は、２以上であり、
前記ハードディスクレコーダとの間でＩＥＥＥ１３９４用の制御コマンドとその応答信号の送受信、及びストリームデータの送受信を行うためのＩＥＥＥ１３９４インタフェースと、
前記ＩＥＥＥ１３９４シリアルバスを介して接続されている全てのハードディスクレコーダに格納されている番組ファイルの中から、ダビング元の番組ファイルを選択するための選択手段と、
前記選択手段を用いてユーザにより番組ファイルが選択されたときに、選択された番組ファイルを、この番組ファイルが存在するダビング元のハードディスクレコーダから読み込んで、ダビング先のハードディスクレコーダに対して、この番組ファイルと、この番組ファイルを記録するように要求するための制御コマンドとを送信するように制御するダビング制御手段とを備えたＩＥＥＥ１３９４シリアルバスに接続されるセットトップボックスにおいて、
前記全てのハードディスクレコーダに格納されている番組ファイルの中から、前記選択手段を用いてユーザにより選択された番組ファイルと同一の番組タイトルを持つ番組ファイルを検索する検索手段と、
前記検索手段による検索の結果、同一の番組タイトルを持つ番組ファイルが見つかったときに、これら同一の番組タイトルを持つ番組ファイルのリストを作成するリスト作成手段と、
前記リスト作成手段により作成されたリスト中の各番組ファイルを、録画開始日時の古い順に並び替えるソート手段とをさらに備え、
前記ダビング制御手段は、前記選択手段を用いてユーザにより番組ファイルが選択されたときに、選択された番組ファイルを、この番組ファイルが存在するダビング元のハードディスクレコーダから読み込んで、ダビング先のハードディスクレコーダに対して、この番組ファイルと、この番組ファイルを記録するように要求するための制御コマンドとを送信するように制御した後に、前記リスト作成手段により作成されたリスト中の各番組ファイルを、前記ソート手段により録画開始日時の古い順に並び替えて、並び替え後のリストに含まれる各番組ファイルについて、前記選択手段を用いて選択された番組ファイルの次に録画開始日時が古い番組ファイルから順番に、ダビング元のハードディスクレコーダより読み込んで、ダビング先のハードディスクレコーダに記録するように制御することを特徴とするＩＥＥＥ１３９４シリアルバスに接続されるセットトップボックス。
【請求項２】
ＩＥＥＥ１３９４用の制御コマンドによって録画や再生を行うことが可能なハードディスクレコーダとＩＥＥＥ１３９４シリアルバスを介して接続され、
前記ＩＥＥＥ１３９４シリアルバスを介して接続されているハードディスクレコーダの台数は、２以上であり、
前記ハードディスクレコーダとの間でＩＥＥＥ１３９４用の制御コマンドとその応答信号の送受信、及びストリームデータの送受信を行うためのＩＥＥＥ１３９４インタフェースと、
前記ＩＥＥＥ１３９４シリアルバスを介して接続されている全てのハードディスクレコーダに格納されている番組ファイルの中から、ダビング元の番組ファイルを選択するための選択手段と、
前記選択手段を用いてユーザにより番組ファイルが選択されたときに、選択された番組ファイルを、この番組ファイルが存在するダビング元のハードディスクレコーダから読み込んで、ダビング先のハードディスクレコーダに対して、この番組ファイルと、この番組ファイルを記録するように要求するための制御コマンドとを送信するように制御するダビング制御手段とを備えたＩＥＥＥ１３９４シリアルバスに接続されるコントローラ機器において、
前記全てのハードディスクレコーダに格納されている番組ファイルの中から、前記選択手段を用いてユーザにより選択された番組ファイルと同一の番組タイトルを持つ番組ファイルを検索する検索手段と、
前記検索手段による検索の結果、同一の番組タイトルを持つ番組ファイルが見つかったときに、これら同一の番組タイトルを持つ番組ファイルのリストを作成するリスト作成手段とをさらに備え、
前記ダビング制御手段は、前記選択手段を用いてユーザにより番組ファイルが選択されたときに、前記リスト作成手段により作成されたリスト中の各番組ファイルについて、録画開始日時が古い番組ファイルから順番に、ダビング元のハードディスクレコーダより読み込んで、ダビング先のハードディスクレコーダに記録するように制御することを特徴とするＩＥＥＥ１３９４シリアルバスに接続されるコントローラ機器。
【請求項３】
前記ダビング制御手段は、前記選択手段を用いてユーザにより番組ファイルが選択されたときに、選択された番組ファイルを、この番組ファイルが存在するダビング元のハードディスクレコーダより読み込んで、ダビング先のハードディスクレコーダに対して、この番組ファイルと、この番組ファイルを記録するように要求するための制御コマンドとを送信するように制御した後に、前記リスト作成手段により作成されたリスト中の各番組ファイルについて、前記選択手段を用いて選択された番組ファイルの次に録画開始日時が古い番組ファイルから順番に、ダビング元のハードディスクレコーダより読み込んで、ダビング先のハードディスクレコーダに記録するように制御することを特徴とする請求項２に記載のＩＥＥＥ１３９４シリアルバスに接続されるコントローラ機器。
【発明の詳細な説明】
【技術分野】
【０００１】
本発明は、ＡＶＨＤＤ等のハードディスクレコーダとＩＥＥＥ１３９４シリアルバスを介して接続可能なセットトップボックス、ディジタルテレビジョン受像機等のコントローラ機器に関する。
【背景技術】
【０００２】
近年、セットトップボックスやディジタルテレビジョン受像機等のコントローラ機器とＩＥＥＥ１３９４シリアルバスケーブルを介して接続されて、ＩＥＥＥ１３９４用の制御コマンドによってのみ録画や再生を行うことが可能なハードディスクレコーダ（いわゆるＡＶＨＤＤ）が増えてきた。この種のハードディスクレコーダで録画した番組ファイルを他のハードディスクレコーダにダビングする際には、ユーザは、通常、コントローラ機器を用いて、ダビングしたい番組ファイルが、ＩＥＥＥ１３９４シリアルバス上におけるどのハードディスクレコーダに記録されているかを確認した上で、該当のハードディスクレコーダの録画番組リスト中の番組ファイルからダビングしたい番組ファイルを１個ずつ選択して、ダビングの実行を指示する。
【０００３】
しかしながら、上記のような従来の番組ファイルのダビング処理では、ユーザが番組ファイルをダビングするのに要する手間が大きくなる。特に、連続ドラマの番組ファイル等の同一の番組タイトルで複数に分割されて記録されている番組ファイルが、ＩＥＥＥ１３９４シリアルバス上における複数のハードディスクレコーダに分散して記録されている場合に、これらの番組ファイルを第１話から順番にダビングするときには、ユーザが、録画開始日時が古い番組ファイルから順番に、これらの番組ファイルを格納しているハードディスクレコーダを探して、そのハードディスクレコーダの録画番組リスト中の番組ファイルから該当の番組ファイルを選択するという操作が、同一の番組タイトルの番組ファイルの数だけ必要になる。このため、番組ファイルを一つだけダビングするときと比べて、ユーザが番組ファイルをダビングするのに要する手間は、より大きなものとなる。
【０００４】
ところで、ディジタルＶＣＲのダビングシステムの分野において、プレーヤ側のディジタルＶＣＲにセットされたディジタルテープから情報データ及び内容情報を読み出して、レコーダ側のディジタルＶＣＲにセットされたディジタルテープに記録する際に、情報データに含まれている内容情報呼出信号を監視して、この内容情報呼出信号を発見したときに、レコーダ側のディジタルＶＣＲにセットされたディジタルテープから内容情報呼出信号が記録されているトラック番号を検出し、検出したトラック番号に基き内容情報のトラック番号を変更し、変更後の内容情報をレコーダ側のディジタルテープに内蔵されているメモリに書き込むことにより、プレーヤ側からレコーダ側に情報データと整合性のとれた内容情報をコピーすることができるようにしたものが知られている（特許文献１参照）。また、ＣＤ等からハードディスクへのダビングシステムの分野において、ＣＤ等に記録された情報データを実時間再生時よりも高速に読み出して、読み出した情報データを、ハードディスクに高速にデータ転送してコピーしながら、同時に、ハードディスクから、上記のコピーされた情報データを再生データとして出力する方法により、情報データのダビング中に、その情報データを再生することができるようにしたものが知られている（特許文献２参照）。
【０００５】
さらにまた、ハードディスクレコーダの分野において、多数の番組ファイルをハードディスクに記録した場合に、どの番組に関する番組ファイルが、どのような順番で記録されているのかを分かり易くするために、複数の映像コンテンツをハードディスクに記録する際に、テレビ画面に表示可能な各映像コンテンツのサムネイル画像を作成してハードディスクに保存しておき、ハードディスクに記録された複数の映像コンテンツを再生するときに、ユーザが、再生する映像コンテンツ、及びその再生順を指定可能なように、上記のサムイル画像をテレビ画面に表示するようにしたものが知られている（特許文献３参照）。けれども、上記特許文献１乃至３に記載された発明では、上記の問題を解決することはできない。
【特許文献１】特開２００３−５９１７４号公報
【特許文献２】特開２００３−２４９００８号公報
【特許文献３】特開２００２−１００１６８号公報
【発明の開示】
【発明が解決しようとする課題】
【０００６】
本発明は、上記の問題を解決するためになされたものであり、同一の番組タイトルを持つ複数の番組ファイルを連続してダビングするときに、ユーザが、これらの番組ファイルが格納されているハードディスクレコーダを探す処理や、これらの番組ファイルを一つずつ選択する処理を不要にして、番組ファイルのダビングを行う際の操作性の向上を図ることが可能なＩＥＥＥ１３９４シリアルバスに接続されるセットトップボックス、及びＩＥＥＥ１３９４シリアルバスに接続されるコントローラ機器を提供することを目的とする。
【課題を解決するための手段】
【０００７】
上記目的を達成するために、請求項１の発明は、ＩＥＥＥ１３９４用の制御コマンドによって録画や再生を行うことが可能なハードディスクレコーダとＩＥＥＥ１３９４シリアルバスを介して接続され、前記ＩＥＥＥ１３９４シリアルバスを介して接続されているハードディスクレコーダの台数は、２以上であり、前記ハードディスクレコーダとの間でＩＥＥＥ１３９４用の制御コマンドとその応答信号の送受信、及びストリームデータの送受信を行うためのＩＥＥＥ１３９４インタフェースと、前記ＩＥＥＥ１３９４シリアルバスを介して接続されている全てのハードディスクレコーダに格納されている番組ファイルの中から、ダビング元の番組ファイルを選択するための選択手段と、前記選択手段を用いてユーザにより番組ファイルが選択されたときに、選択された番組ファイルを、この番組ファイルが存在するダビング元のハードディスクレコーダから読み込んで、ダビング先のハードディスクレコーダに対して、この番組ファイルと、この番組ファイルを記録するように要求するための制御コマンドとを送信するように制御するダビング制御手段とを備えたＩＥＥＥ１３９４シリアルバスに接続されるセットトップボックスにおいて、前記全てのハードディスクレコーダに格納されている番組ファイルの中から、前記選択手段を用いてユーザにより選択された番組ファイルと同一の番組タイトルを持つ番組ファイルを検索する検索手段と、前記検索手段による検索の結果、同一の番組タイトルを持つ番組ファイルが見つかったときに、これら同一の番組タイトルを持つ番組ファイルのリストを作成するリスト作成手段と、前記リスト作成手段により作成されたリスト中の各番組ファイルを、録画開始日時の古い順に並び替えるソート手段とをさらに備え、前記ダビング制御手段は、前記選択手段を用いてユーザにより番組ファイルが選択されたときに、選択された番組ファイルを、この番組ファイルが存在するダビング元のハードディスクレコーダから読み込んで、ダビング先のハードディスクレコーダに対して、この番組ファイルと、この番組ファイルを記録するように要求するための制御コマンドとを送信するように制御した後に、前記リスト作成手段により作成されたリスト中の各番組ファイルを、前記ソート手段により録画開始日時の古い順に並び替えて、並び替え後のリストに含まれる各番組ファイルについて、前記選択手段を用いて選択された番組ファイルの次に録画開始日時が古い番組ファイルから順番に、ダビング元のハードディスクレコーダより読み込んで、ダビング先のハードディスクレコーダに記録するように制御するものである。
【０００８】
請求項２の発明は、ＩＥＥＥ１３９４用の制御コマンドによって録画や再生を行うことが可能なハードディスクレコーダとＩＥＥＥ１３９４シリアルバスを介して接続され、前記ＩＥＥＥ１３９４シリアルバスを介して接続されているハードディスクレコーダの台数は、２以上であり、前記ハードディスクレコーダとの間でＩＥＥＥ１３９４用の制御コマンドとその応答信号の送受信、及びストリームデータの送受信を行うためのＩＥＥＥ１３９４インタフェースと、前記ＩＥＥＥ１３９４シリアルバスを介して接続されている全てのハードディスクレコーダに格納されている番組ファイルの中から、ダビング元の番組ファイルを選択するための選択手段と、前記選択手段を用いてユーザにより番組ファイルが選択されたときに、選択された番組ファイルを、この番組ファイルが存在するダビング元のハードディスクレコーダから読み込んで、ダビング先のハードディスクレコーダに対して、この番組ファイルと、この番組ファイルを記録するように要求するための制御コマンドとを送信するように制御するダビング制御手段とを備えたＩＥＥＥ１３９４シリアルバスに接続されるコントローラ機器において、前記全てのハードディスクレコーダに格納されている番組ファイルの中から、前記選択手段を用いてユーザにより選択された番組ファイルと同一の番組タイトルを持つ番組ファイルを検索する検索手段と、前記検索手段による検索の結果、同一の番組タイトルを持つ番組ファイルが見つかったときに、これら同一の番組タイトルを持つ番組ファイルのリストを作成するリスト作成手段とをさらに備え、前記ダビング制御手段は、前記選択手段を用いてユーザにより番組ファイルが選択されたときに、前記リスト作成手段により作成されたリスト中の各番組ファイルについて、録画開始日時が古い番組ファイルから順番に、ダビング元のハードディスクレコーダより読み込んで、ダビング先のハードディスクレコーダに記録するように制御するものである。
【０００９】
請求項３の発明は、請求項２に記載のＩＥＥＥ１３９４シリアルバスに接続されるコントローラ機器において、前記ダビング制御手段は、前記選択手段を用いてユーザにより番組ファイルが選択されたときに、選択された番組ファイルを、この番組ファイルが存在するダビング元のハードディスクレコーダから読み込んで、ダビング先のハードディスクレコーダに対して、この番組ファイルと、この番組ファイルを記録するように要求するための制御コマンドとを送信するように制御した後に、前記リスト作成手段により作成されたリスト中の各番組ファイルについて、前記選択手段を用いて選択された番組ファイルの次に録画開始日時が古い番組ファイルから順番に、ダビング元のハードディスクレコーダより読み込んで、ダビング先のハードディスクレコーダに記録するように制御するものである。
【発明の効果】
【００１０】
請求項１の発明によれば、ユーザが、選択手段を用いて番組ファイルを選択すると、選択された番組ファイルが、この番組ファイルが存在するダビング元のハードディスクレコーダから読み込まれて、この番組ファイルと、この番組ファイルを記録するように要求するための制御コマンドとが、ダビング先のハードディスクレコーダに送信される。そして、上記の番組ファイルと同一の番組タイトルを持つ番組ファイルのリストが作成されて、リスト中の各番組ファイルが、録画開始日時の古い順に並び替えられた後、並び替え後のリストに含まれる各番組ファイルについて、選択手段を用いて選択された番組ファイルの次に録画開始日時が古い番組ファイルから順番に、ダビング元のハードディスクレコーダからダビング先のハードディスクレコーダに記録（ダビング）される。これにより、ユーザが、選択手段を用いて、ダビング対象となる番組ファイルのうち、録画開始日時が最も古い番組ファイルを選択するだけで、選択された番組ファイルと同一の番組タイトルを持つ番組ファイルのうち、選択された番組ファイルの録画開始日時以降に記録された番組ファイルを全て、録画開始日時が古い順番に、連続してダビングすることができる。従って、同一の番組タイトルを持つ複数の番組ファイルを連続してダビングするときに、ユーザが、これらの番組ファイルが格納されているハードディスクレコーダを探す処理や、これらの番組ファイルを一つずつ選択する処理が不要になるので、番組ファイルのダビングを行う際の操作性の向上を図ることができる。
【００１１】
また、ユーザが選択手段を用いて選択した録画開始日時が最も古い番組ファイルをダビングしている間に、２つ目以降の番組ファイルをダビングするためのリストを作成する処理や、リスト中の各番組ファイルを録画開始日時の古い順に並び替える処理を行うことができるので、同一の番組タイトルを持つ複数の番組ファイルを連続してダビングする際における処理時間の短縮を図ることができる。
【００１２】
請求項２の発明によれば、ユーザが、選択手段を用いて番組ファイルを選択すると、選択された番組ファイルと同一の番組タイトルを持つ番組ファイルのリストが作成される。そして、このリスト中の各番組ファイルが、録画開始日時の古い番組ファイルから順番に、ダビング元のハードディスクレコーダよりダビング先のハードディスクレコーダにダビングされる。これにより、上記請求項１の発明と同様な効果を得ることができる。
【００１３】
請求項３の発明によれば、上記に記載の効果を的確に得ることができる。
【発明を実施するための最良の形態】
【００１４】
本発明を実施するための最良の形態について図面を参照して説明する。本発明は、ＩＥＥＥ１３９４シリアルバスを介してハードディスクレコーダに接続されるコントローラ機器に関するものである。以下の実施形態では、本発明をセットトップボックスに適用した場合の例について説明する。なお、以下に記載した実施形態は、本発明を網羅するものではなく、本発明は、下記の形態だけに限定されない。
【００１５】
図１は、第１の実施形態によるセットトップボックスと、このセットトップボックスに接続された３つのＡＶＨＤＤ及びＤＴＶ（digital television）の外観を示す。セットトップボックス（以下、ＳＴＢという）１は、受信した放送信号の中からユーザにより選択されたチャンネルの放送信号を出力するものである。ＡＶＨＤＤ２ａ，２ｂ，２ｃは、ＩＥＥＥ１３９４用の制御コマンドによってのみ録画や再生を行うことが可能なタイプのハードディスクレコーダである。ＤＴＶ３のモニタ５は、ダビング方法の設定用の画面（図４参照）等の各種メニュー画面や、ユーザにダビング元の番組ファイルの選択を促す番組ファイル選択画面（図５参照）等の表示に用いられる。また、図に示されるように、ＳＴＢ１の前面側には、各種のメッセージ等の表示を行うための表示部１６が設けられている。また、ＳＴＢ１とＤＴＶ３との間、ＤＴＶ３とＡＶＨＤＤ２ａとの間、ＡＶＨＤＤ２ａとＡＶＨＤＤ２ｂとの間、及びＡＶＨＤＤ２ｂとＡＶＨＤＤ２ｃとの間は、ＩＥＥＥ１３９４シリアルバスケーブル４を用いて接続されている。すなわち、ＳＴＢ１とＤＴＶ３とＡＶＨＤＤ２ａ，２ｂ，２ｃとは、デイジーチェーン方式で接続されている。本実施形態では、ＡＶＨＤＤ２ａ，２ｂ，２ｃは、ＳＴＢ１から送信されたＩＥＥＥ１３９４用の制御コマンドによってのみ録画、再生、削除等の処理を行うことができる。
【００１６】
次に、図２を参照して、上記のＳＴＢ１とＡＶＨＤＤ２ａ，２ｂ，２ｃの電気的ブロック構成について説明する。図中のＡＶＨＤＤ２は、ＡＶＨＤＤ２ａ，２ｂ，２ｃの総称である。ＳＴＢ１は、装置全体の制御を行うマイクロプロセッサ１１（請求項におけるダビング制御手段、検索手段、リスト作成手段、ソート手段）を備えている。このマイクロプロセッサ１１には、上記の表示部１６に加えて、チューナ１２、復調部１３、ＩＥＥＥ１３９４インタフェース１４（以下、インタフェースと略す）、赤外線信号受信部１５、ＲＡＭ１７及びＲＯＭ１８が接続されている。
【００１７】
上記のチューナ１２は、アンテナ１０で受信した放送信号の中からユーザにより選択されたチャンネルの放送信号を抽出する。復調部１３は、チューナ１２で抽出された放送信号に対して放送方式に応じた復調を行う。インタフェース１４は、ＩＥＥＥ１３９４シリアルバス４０（以下、バスと略す）上の他の装置との間でデータを送受信するためのインタフェース用の回路であり、ＡＶＨＤＤ２及びＤＴＶ３（図１参照）との間でバス４０を介してデータを送受信する。赤外線信号受信部１５は、リモコン２０から送信された赤外線信号形式の指示信号を受信し、その指示信号を通常のデジタル信号に変換してマイクロプロセッサ１１に送る。ＲＡＭ１７は、後述するダビング元の番組ファイルのリスト（図６参照）等のデータを一時的に格納する。ＲＯＭ１８は、各種のメニューや制御用のプログラムを格納する。
【００１８】
リモコン２０（選択手段）は、各種のキーからなるキー部２４と赤外線信号発信部２１とを有している。キー部２４には、電源キー２３、数字入力用のキー２５、カーソルキー２６、確定キー２７に加えて、各種メニューを表示するためのメニューキー２２が配設されている。リモコン２０内の各キーは、各種メニュー画面を用いた選択操作や、ＤＴＶ３のモニタ５に一覧表示された番組ファイルの中からダビング元の番組ファイルを選択する操作等に用いられる。
【００１９】
また、上記のＡＶＨＤＤ２は、装置全体の制御を行うマイクロプロセッサ３１と、このマイクロプロセッサ３１の制御用のプログラムを格納するＲＯＭ３０と、バス４０を介してＳＴＢ１等から制御コマンドやストリームデータ等のデータを受信するためのＩＥＥＥ１３９４インタフェース３３（以下、インタフェースと略す）とを有している。また、ＡＶＨＤＤ２は、記録媒体である複数枚のハードディスク３５と、これらのハードディスク３５に対してデータの記録・読取を行う複数の磁気ヘッド３６と、磁気ヘッド３６を駆動するヘッド駆動部３４と、記録するデータ又は読み出したデータを一時的に保存するバッファメモリ３２とを備えている。
【００２０】
次に、図３のフローチャートに加えて、図４乃至図６を参照して、ＡＶＨＤＤ２ａ，２ｂ，２ｃに格納されている、同一の番組タイトルを持つ全ての番組ファイルを、録画開始日時が古い順番に、ダビング先のＡＶＨＤＤ２ａに連続してダビングする処理について説明する。ユーザが、リモコン２０を用いて、図４に示されるダビング設定画面４１をＤＴＶ３のモニタ５上に表示して、同一タイトルダビングボタン４３を選択すると、ＳＴＢ１側のマイクロプロセッサ１１は、図５に示されるように、ＳＴＢ１に接続されている全てのＡＶＨＤＤ２ａ，２ｂ，２ｃに格納されている番組ファイル５１の一覧表を含む番組ファイル選択画面５０を、ＤＴＶ３のモニタ５上に表示して、ユーザにダビング対象となる番組ファイルの中で録画開始日時が一番古い番組ファイル（例えば、連続ドラマの第１話の番組ファイル）を選択するように促す。例えば、連続ドラマの第１話の番組ファイルを選択するように促す。これに対して、ユーザが、リモコン２０を用いて、第１話の番組ファイル５１を選択すると（Ｓ１でＹＥＳ）、ＳＴＢ１側のマイクロプロセッサ１１は、第１話の番組ファイル５１のＡＶＨＤＤ２ａへのダビングを開始した後に（Ｓ２）、ＳＴＢ１に接続されている全てのＡＶＨＤＤ２ａ，２ｂ，２ｃを確認して（Ｓ３）、これら全てのＡＶＨＤＤ２ａ，２ｂ，２ｃに格納されている番組ファイル５１の中から、上記Ｓ１の処理で選択された番組ファイル５１と同一の番組タイトルを持つ全ての番組ファイル５１を検索する（Ｓ４）。この結果、同一の番組タイトルを持つ番組ファイル５１が見つかった場合には（Ｓ５でＹＥＳ）、ＳＴＢ１側のマイクロプロセッサ１１は、これら同一の番組タイトルを持つ（第２話以降の）番組ファイルのリスト（図６に示されるダビング元ファイルリスト６０）を作成して（Ｓ６）、ＲＡＭ１７に記憶する。
【００２１】
次に、上記のダビング元ファイルリスト６０の各レコード６６に含まれるデータについて説明する。ダビング元ファイルリスト６０の各レコード６６には、ダビング元の番組ファイル５１の格納先である各ＡＶＨＤＤ２ａ，２ｂ，２ｃに固有のＩＤ（ダビング元ＧＵＩＤ）６１、リスト番号（各ＡＶＨＤＤ２ａ，２ｂ，２ｃに格納されている番組ファイル５１の一覧表内における、ダビング元の番組ファイル５１の番号）６２、ダビング元の番組ファイル５１の録画時間６３、ダビング元の番組ファイル５１の録画（開始）日６４と録画開始時刻６５等のデータが含まれている。
【００２２】
上記のダビング元ファイルリスト６０の作成処理が終わると、ＳＴＢ１側のマイクロプロセッサ１１は、ダビング元ファイルリスト６０に含まれる、各番組ファイル５１に関するレコードを、録画開始日時（録画日６４と録画開始時刻６５）の古い順に並び替える（Ｓ７）。そして、第１話の番組ファイル５１のダビングが終了すると（Ｓ８でＹＥＳ）、ＳＴＢ１側のマイクロプロセッサ１１は、ダビング元ファイルリスト６０に含まれる全てのレコード６６に対応する番組ファイル５１のダビング処理が終了するまで（Ｓ９でＮＯ）、並び替え後のダビング元ファイルリスト６０中におけるレコード６６の格納順に沿って、先頭のレコード６６に対応する番組ファイル５１から順番に、第２話以降の各番組ファイル５１を、ＡＶＨＤＤ２ａ，２ｂ，２ｃからＡＶＨＤＤ２ａに連続してダビングする（Ｓ１０）。なお、もし、ダビング元の番組ファイル５１がダビング先のＡＶＨＤＤ２ａに格納されている場合には、上記のダビング処理は、実際には、ＡＶＨＤＤ２ａのハードディスク３５内における、ある記録領域から他の記録領域への番組ファイル５１のコピー処理になる。また、上記Ｓ１に相当する処理で選択された番組ファイル５１（番組ファイル選択画面５０で選択された番組ファイル５１）が、例えば第３話の番組ファイルである場合には、ＳＴＢ１側のマイクロプロセッサ１１は、第３話以降の各番組ファイル５１をＡＶＨＤＤ２ａに連続してダビングする。
【００２３】
上記Ｓ５の判定処理で、同一の番組タイトルを持つ（第２話以降の）番組ファイル５１が見つからなかった場合には（Ｓ５でＮＯ）、ＳＴＢ１側のマイクロプロセッサ１１は、第１話の番組ファイル５１のダビングが終了すると（Ｓ１１でＹＥＳ）、当処理を終える。
【００２４】
上記のように、第１の実施形態のＳＴＢ１によれば、ユーザが、リモコン２０を用いて、ダビング対象となる番組ファイル５１のうち、録画開始日時が最も古い番組ファイル５１を選択するだけで、選択された番組ファイル５１と同一の番組タイトルを持つ番組ファイル５１のうち、選択された番組ファイル５１の録画開始日時以降に記録された番組ファイル５１を全て、録画開始日時が古い順番に、連続してダビングすることができる。従って、同一の番組タイトルを持つ複数の番組ファイル５１を連続してダビングするときに、ユーザが、これらの番組ファイル５１が格納されているＡＶＨＤＤ２を探す処理や、これらの番組ファイル５１を一つずつ選択する処理が不要になるので、番組ファイル５１のダビングを行う際の操作性の向上を図ることができる。
【００２５】
また、第１話の番組ファイル５１をＡＶＨＤＤ２ａにダビングしている間に、ＳＴＢ１側のマイクロプロセッサ１１が、第２話以降の番組ファイルをダビングするためのリスト（図６のダビング元ファイルリスト６０）を作成する処理や、リスト中の番組ファイル５１を録画開始日時の古い順に並び替える処理を行うことができるので、同一の番組タイトルを持つ複数の番組ファイル５１を連続してダビングする際における処理時間の短縮を図ることができる。
【００２６】
次に、図７のフローチャートに加えて、図８を参照して、第２の実施形態のＳＴＢ１による同一番組タイトルの番組ファイルの連続ダビング処理について説明する。第２の実施形態では、上記第１の実施形態と異なり、ダビング元の番組ファイル５１の確認用画面７０（図８参照）をＤＴＶ３のモニタ５上に表示して、ユーザがダビング処理の実行を指示した場合に限り、同一番組タイトルの番組ファイルの連続ダビング処理を実行するようにした。具体的には、ユーザが、リモコン２０を用いて、図４に示される同一タイトルダビングボタン４３を選択した上で（Ｓ２１でＹＥＳ）、図５に示される番組ファイル選択画面５０中の番組ファイル５１から、ダビング対象となる番組ファイル５１の中で録画開始日時が一番古い番組ファイル５１（例えば、連続ドラマの第１話の番組ファイル）を選択すると（Ｓ２２でＹＥＳ）、ＳＴＢ１側のマイクロプロセッサ１１は、第１話の番組ファイル５１のＡＶＨＤＤ２ａへのダビングを開始する前に、ＳＴＢ１に接続されている全てのＡＶＨＤＤ２ａ，２ｂ，２ｃに格納されている番組ファイル５１の中から、上記Ｓ２２の処理で選択された番組ファイル５１と同一の番組タイトルを持つ全ての番組ファイル５１を検索して（Ｓ２３及びＳ２４）、これら同一の番組タイトルを持つ（第１話を含む）全ての番組ファイルのリスト（図６に示されるダビング元ファイルリスト６０）を作成する（Ｓ２５）。
【００２７】
次に、ＳＴＢ１側のマイクロプロセッサ１１は、ダビング元ファイルリスト６０に含まれる、各番組ファイル５１に関するレコード６６を、録画開始日時（録画日６４と録画開始時刻６５）の古い順に並び替えて（Ｓ２６）、並び替え後のダビング元ファイルリスト６０中におけるレコード６６の一覧表６０と合計録画時間７２を含む、ダビング元の番組ファイル５１の確認用画面７０（図８参照）をＤＴＶ３のモニタ５上に表示する（Ｓ２７）。そして、ユーザが、リモコン２０を用いて、ダビング処理の実行を指示するためのボタン７３を選択すると（Ｓ２８でＹＥＳ）、ＳＴＢ１側のマイクロプロセッサ１１は、元ファイルリスト６０中におけるレコード６６（図６参照）の格納順に沿って、先頭のレコード６６に対応する番組ファイル５１（第１話に対応する番組ファイル５１）から順番に、元ファイルリスト６０中の全てのレコードに対応する番組ファイル５１を、ＡＶＨＤＤ２ａ，２ｂ，２ｃからＡＶＨＤＤ２ａに連続してダビングする（Ｓ２９）。また、上記Ｓ２２に相当する処理で選択された番組ファイル５１（番組ファイル選択画面５０で選択された番組ファイル５１）が、例えば第３話の番組ファイルである場合には、ＳＴＢ１側のマイクロプロセッサ１１は、第３話以降の各番組ファイル５１をＡＶＨＤＤ２ａに連続してダビングする。
【００２８】
上記Ｓ２８の判定処理において、ユーザが、リモコン２０を用いて、ダビング処理の実行を中止するためのボタン７４を選択すると（Ｓ２８でＮＯ）、ＳＴＢ１側のマイクロプロセッサ１１は、上記の連続ダビングの処理を行わず、当処理を終える。
【００２９】
上記のように、第２の実施形態のＳＴＢ１によれば、ユーザが、ダビング処理の実行を指示するためのボタン７３を選択した場合に限り、同一番組タイトルの番組ファイルの連続ダビング処理を実行するようにしたことにより、間違った番組ファイル５１をダビングしてしまうことを防ぐことができる。また、ユーザが、事前に、合計録画時間７２をチェックしてから、連続ダビング処理を実行するか否かを決めることができるので、ユーザの予想に反して、長時間の録画を行ってしまう自体の発生を防ぐことができる。
【００３０】
なお、本発明は、上記実施形態に限られるものではなく、様々な変形が可能である。例えば、上記の実施形態では、本発明をＳＴＢ１に適用した場合の例を示したが、本発明の適用対象はこれに限られず、ディジタルテレビジョン受像機、ＤＶＤレコーダ、ハードディスクレコーダ等の他のコントローラ機器であってもよい。また、上記の実施形態では、ＩＥＥＥ１３９４シリアルバス４０を介してＳＴＢ１と接続されるハードディスクレコーダがＡＶＨＤＤである場合の例を示したが、ＳＴＢと接続されるハードディスクレコーダの種類は、これに限られず、一般のハードディスクレコーダであってもよい。さらにまた、上記の実施形態では、ＩＥＥＥ１３９４シリアルバス４０を介してＳＴＢ１と接続されるＡＶＨＤＤの数は３つであったが、ＳＴＢと接続されるＡＶＨＤＤの台数は、これに限られず、２つであってもよいし、４つ以上であってもよい。
【図面の簡単な説明】
【００３１】
【図１】本発明の第１の実施形態に係るセットトップボックスと、このセットトップボックスに接続されたＡＶＨＤＤ及びＤＴＶの外観を示す斜視図。
【図２】上記セットトップボックスとＡＶＨＤＤの電気的ブロック構成図。
【図３】上記セットトップボックスにおける同一番組タイトルの番組ファイルの連続ダビング処理を示すフローチャート。
【図４】上記連続ダビング処理の指示用のメニューを示す図。
【図５】上記連続ダビング処理の対象となる番組ファイルの選択用の画面を示す図。
【図６】上記連続ダビング処理において作成されるダビング元のファイルのリストを示す図。
【図７】本発明の第２の実施形態に係るセットトップボックスにおける同一番組タイトルの番組ファイルの連続ダビング処理を示すフローチャート。
【図８】上記連続ダビング処理において表示されるダビング元の番組ファイルの確認用画面を示す図。
【符号の説明】
【００３２】
１    ＳＴＢ（セットトップボックス、コントローラ機器）
２    ＡＶＨＤＤ（ハードディスクレコーダ）
１１  マイクロプロセッサ（ダビング制御手段、検索手段、リスト作成手段、ソート手段）
１４  インタフェース（ＩＥＥＥ１３９４インタフェース）
２０  リモコン（選択手段）
２ａ  ＡＶＨＤＤ（ハードディスクレコーダ）
２ｂ  ＡＶＨＤＤ（ハードディスクレコーダ）
２ｃ  ＡＶＨＤＤ（ハードディスクレコーダ）
４０  バス（ＩＥＥＥ１３９４シリアルバス）
【図１】
2006173950.tif 000003
【図２】
2006173950.tif 000004
【図３】
2006173950.tif 000005
【図４】
2006173950.tif 000006
【図５】
2006173950.tif 000007
【図６】
2006173950.tif 000008
【図７】
2006173950.tif 000009
【図８】
2006173950.tif 000010